(57)【要約】【課題】所定の空間において最適な通信状態を確保するのに有効である無線通信端末、無線アクセス装置、無線通信システム又は無線通信プログラムを提供する。【解決手段】無線アクセス装置２０は、所定の空間において配置され無線通信端末１０と接続可能であり、無線通信部２５は、無線通信端末１０が使用される位置に対応する情報を示す端末位置情報と、無線通信端末１０の傾き情報及び方向情報と、傾き／方向情報の取得時における無線アクセス装置２０と無線通信端末１０間の通信状況情報とを無線通信端末１０より受信する。記憶手段３０は、端末位置情報と端末姿勢情報と通信状況情報とを対応させて記憶する。制御部２１は、傾き／方向情報と通信状況情報とに基づき、無線通信端末１０の推奨傾き及び推奨方向を算出し、無線通信部２５を介して端末位置情報に対応する無線通信端末１０に送信する。【選択図】図３
2014179765.tif 000002
【特許請求の範囲】
【請求項１】
所定の空間において配置された無線アクセス装置と接続可能な無線通信端末であって、
前記無線通信端末が使用される位置に対応する情報を示す端末位置情報と、前記無線通信端末の傾き及び方向の少なくとも一方を示す情報である端末姿勢情報と、を取得する制御部、及び
前記端末位置情報と前記端末姿勢情報とを前記無線アクセス装置に送信する無線通信部、
を備える、無線通信端末。
【請求項２】
前記制御部は更に、前記端末姿勢情報を取得時の、前記無線アクセス装置と前記無線通信端末間の通信状況情報を取得し、
前記無線通信部は更に、前記通信状況情報を前記無線アクセス装置に送信する、
請求項１に記載の無線通信端末。
【請求項３】
前記制御部により取得される情報を表示可能な表示部を更に備え、
前記無線通信部は、前記無線アクセス装置より、前記端末位置情報に対応する無線通信端末の推奨傾き及び推奨方向の少なくとも一方を示す情報である推奨姿勢情報を受信し、
前記表示部は、前記推奨姿勢情報を表示する、
請求項１又は２に記載の無線通信端末。
【請求項４】
前記制御部は、前記所定の空間の移動方向に対する前記無線通信端末の相対的方向を算出し、前記相対的方向に基づき前記方向を示す情報を取得する、
請求項１〜３のいずれかに記載の無線通信端末。
【請求項５】
所定の空間において配置され、無線通信端末と接続可能な無線アクセス装置であって、
前記無線通信端末が使用される位置に対応する情報を示す端末位置情報と、前記無線通信端末の傾き及び方向の少なくとも一方を示す情報である端末姿勢情報と、前記端末姿勢情報を取得時の、前記無線アクセス装置と前記無線通信端末間の通信状況情報とを前記無線通信端末より受信する無線通信部、
受信した前記端末位置情報と、前記端末姿勢情報と、前記通信状況情報とを取得する制御部、及び
前記端末位置情報と前記端末姿勢情報と前記通信状況情報とを対応させて記憶する記憶手段、
を備え、
前記制御部は、
前記端末姿勢情報と前記通信状況情報とに基づき、前記無線通信端末の推奨傾き及び推奨方向の少なくとも一方を示す情報である推奨姿勢情報を算出し、
前記無線通信部は、前記推奨姿勢情報を前記端末位置情報に対応する無線通信端末に送信する、
無線アクセス装置。
【請求項６】
所定の空間において配置され、無線通信端末と接続可能な無線アクセス装置であって、
前記無線通信端末が使用される位置に対応する情報を示す端末位置情報と、前記無線通信端末の傾き及び方向の少なくとも一方を示す情報である端末姿勢情報とを前記無線通信端末より受信する無線通信部、
受信した前記端末位置情報と前記端末姿勢情報とを取得し、前記端末姿勢情報を取得時の、前記無線アクセス装置と前記無線通信端末間の通信状況情報を測定する制御部、及び
前記端末位置情報と前記端末姿勢情報と前記通信状況情報とを対応させて記憶する記憶手段、
を備え、
前記制御部は、
前記端末姿勢情報と前記通信状況情報とに基づき、前記無線通信端末の推奨傾き及び推奨方向の少なくとも一方を示す情報である推奨姿勢情報を算出し、
前記無線通信部は、前記推奨姿勢情報を前記端末位置情報に対応する無線通信端末に送信する、
無線アクセス装置。
【請求項７】
前記制御部は、前記所定の空間の移動方向に対する前記無線通信端末の相対的方向を算出し、前記相対的方向に基づき前記方向を示す情報を取得する、
請求項５又は６に記載の無線アクセス装置。
【請求項８】
請求項１〜４にいずれかに記載の無線通信端末、及び
前記無線通信端末に接続可能である、請求項５〜７のいずれかに記載の無線アクセス装置を備える、無線通信システム。
【請求項９】
所定の空間において配置された無線アクセス装置に接続可能な無線通信端末の機能を実行させる無線通信プログラムであって、
前記無線アクセス装置に対し、前記無線通信端末が使用される位置に対応する情報を示す端末位置情報、及び前記無線通信端末の傾き及び方向の少なくとも一方を示す情報である端末姿勢情報を送信するステップ、
前記無線アクセス装置より、前記端末位置情報に対応する無線通信端末の推奨傾き及び推奨方向の少なくとも一方を示す情報である推奨姿勢情報を受信するステップ、及び
受信した前記推奨姿勢情報を表示部に表示させるステップ、
をコンピュータに実行させるプログラム。
【発明の詳細な説明】
【技術分野】
【０００１】
本開示は、所定の空間において無線通信を行う無線通信端末、無線アクセス装置、無線通信システム及び無線通信プログラムに関する。
【背景技術】
【０００２】
従来、複数のアンテナを有する移動体通信端末において、その傾きに応じて受信感度の良いアンテナを選択して、通信の品質を確保するものが知られている（例えば、特許文献１参照）。
【先行技術文献】
【特許文献】
【０００３】
【特許文献１】特開２００５−２２３８０２号公報
【発明の概要】
【発明が解決しようとする課題】
【０００４】
無線通信端末の場合、受信感度は基地局に対する無線通信端末の姿勢によって大きく影響される。
本開示は、所定の空間において最適な通信状態を確保するのに有効な無線通信端末、無線アクセス装置、無線通信システム及び無線通信プログラムを提供する。
【課題を解決するための手段】
【０００５】
本開示における無線通信端末は、所定の空間において配置された無線アクセス装置と接続可能な無線通信端末であって、無線通信端末が使用される位置に対応する情報を示す端末位置情報と、無線通信端末の傾き及び方向の少なくとも一方を示す情報である端末姿勢情報とを取得する制御部、及び同端末位置情報と端末姿勢情報とを無線アクセス装置に送信する無線通信部を備える。
【０００６】
本開示における無線アクセス装置は、所定の空間において配置され、無線通信端末と接続可能な無線アクセス装置であって、無線通信部と、制御部と、記憶手段とを備える。無線通信部は、無線通信端末が使用される位置に対応する情報を示す端末位置情報と、無線通信端末の傾き及び方向の少なくとも一方を示す情報である端末姿勢情報と、端末姿勢情報を取得時の、無線アクセス装置と無線通信端末間の通信状況情報とを無線通信端末より受信する。制御部は、受信した端末位置情報と端末姿勢情報と通信状況情報とを取得する。記憶手段は、端末位置情報と端末姿勢情報と通信状況情報とを対応させて記憶する。制御部は更に、端末姿勢情報及び通信状況情報に基づき、無線通信端末の推奨傾き及び推奨方向の少なくとも一方を示す情報である推奨姿勢情報を算出する。無線通信部は、推奨姿勢情報を端末位置情報に対応する無線通信端末に送信する。
【発明の効果】
【０００７】
本開示における無線通信端末、無線アクセス装置、無線通信システム又は無線通信プログラムは、所定の空間において最適な通信状態を確保するのに有効である。
【図面の簡単な説明】
【０００８】
【図１】実施の形態に係る無線通信システムの概略構成図
【図２】実施の形態に係る無線通信端末の概略構成図
【図３】実施の形態に係るアクセスポイントの概略構成図
【図４】データベースで扱われる情報の内容を示す図
【図５】無線通信端末の全体動作を示すフローチャート
【図６】無線通信端末による処理を示すフローチャート
【図７】アクセスポイントの全体動作を示すフローチャート
【図８】アクセスポイントによる処理を示すフローチャート
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者らは、当業者が本開示を十分に理解するために添付図面及び以下の説明を提供するのであって、これらによって特許請求の範囲に記載の主題を限定することを意図するものではない。
説明中で同じ符号、記号、数字は、特に説明が無い限り、同じ構成要素を示すものとする。また、特に説明が無い限り本発明に必須でない構成要素は図示しないものとする。
【００１０】
（実施の形態）
［１−１．無線通信システム１の構成］
以下、本発明の一実施の形態について、外部から電磁的に遮蔽された輸送機関の１つである航空機内の客室エリア（所定の空間の一例）に適用した事例を挙げて説明する。
【００１１】
図１は、無線通信システム１（無線通信システムの一例）の全体構成を概略的に示す。無線通信システム１は、航空機内に一又は複数設置された無線アクセス装置であるアクセスポイント２０（無線アクセス装置の一例）と、搭乗者（ユーザ）により利用される無線通信端末１０（無線通信端末の一例）と、を備える。アクセスポイント２０は、航空機システムに接続され航空機内に設置されたサーバー４０とケーブルＮＷを介して接続される。無線通信端末１０とアクセスポイント２０とは無線接続可能であり、無線ＬＡＮを形成する。なお、サーバー４０は有線ケーブルを介して各座席ＳＴに設置された他の表示装置（図示省略）に接続されている。
【００１２】
アクセスポイント２０の数は、図示されているものに限定されず、航空機の大きさや種類に応じて図示されているものより少なくても多くてもよい。図１において各アクセスポイント２０から延びている点線は、各アクセスポイントの電波の到達範囲（以下、通信エリアと呼ぶ）の例を示している。
図１に示す航空機の客室内に設けられた無線通信システム１の通信エリアは、航空機の客室エリアである。航空機内には、所定数の座席ＳＴが複数列配置され、無線基地局としての各アクセスポイント２０は一部の座席群に相当する通信エリアをカバーするように配置され、複数のアクセスポイント２０により座席全体に相当する通信エリアをカバーするように配置される。
【００１３】
［１−１−１．無線通信端末１０の構成］
図２は、無線通信端末１０の構成例を概略的に示す。無線通信端末１０は、搭乗者により持ち込まれる、スマートフォンやタブレット端末等の携帯端末である。無線通信端末１０は、所定のバスを介して接続された制御部１１（制御部の一例）、メモリ１２、表示部１３（表示部の一例）、入力部１４、無線通信部１５（無線通信部の一例）、傾きセンサ１８、及び方向センサ１９を備える。
【００１４】
制御部１１は、ＣＰＵ等から構成され、所定のプログラムを実行することにより無線通信端末１０の各機能を実行する。
メモリ１２は、制御部１１が処理する種々のデータを格納する。表示部１３は、ＬＣＤや有機ＥＬディスプレイ等の表示画面を有し、制御部１１の指令に応じてアクセスポイント２０から取得された情報（後述する推奨傾きや推奨方向、その他要求された情報等）を表示する。入力部１４は、表示部１３に表示されるタッチパネルや、操作ボタン、キーボード、マウス等の入力手段であり、ユーザの操作により入力された情報を制御部１１に送信する。無線通信部１５は、アンテナＡＴを介して制御部１１により生成される情報を無線送信し、且つアクセスポイント２０から情報を受信する無線インターフェースである。
【００１５】
傾きセンサ１８は、例えば加速度センサであり、無線通信端末１０の本体の傾きを検出可能なセンサである。
方向センサ１９は、例えばジャイロセンサであり、無線通信端末１０の方向（東西南北を基準とする方向；以下、絶対的方向とする）を検出可能なセンサである。なお、図示例では傾きセンサ１８と方向センサ１９は別々に示しているが、６軸センサ等一体型センサであってもよい。
【００１６】
制御部１１は、座席情報取得部１１１、傾き検出部１１２、方向検出部１１３、通信状況取得部１１４、推奨傾き通知部１１５、および推奨方向通知部１１６の各機能を実行する。
座席情報取得部１１１は、ユーザにより入力された座席番号等の座席情報（端末位置情報の一例）を取得する。
【００１７】
傾き検出部１１２は、傾きセンサ１８により検知された信号をデータ化して無線通信端末１０の傾きを検出する。方向検出部１１３は、方向センサ１９より検知された信号をデータ化して無線通信端末１０の方向（東西南北を基準とする絶対的方向）を検出する。
通信状況取得部１１４は、アクセスポイント２０との接続後に生じる通信状況、例えば電波強度情報やエラー情報（ＢＥＲ等）を取得する。また、無線通信端末１０とアクセスポイント２０間の通信がＭＩＭＯ (multiple-input and multiple-output)が用いられる場合は、ＭＩＭＯアンテナのマトリクス情報を取得する。
推奨傾き通知部１１５は、アクセスポイント２０より送信される推奨傾きを示すデータに基づきユーザに示す推奨傾き情報を生成し、表示部１３に表示させる。推奨方向通知部１１６は、アクセスポイント２０より送信される推奨方向を示すデータに基づきユーザに示す推奨方向情報を生成し、表示部１３等に表示させる。
【００１８】
［１−１−２．アクセスポイント２０の構成］
図３は、アクセスポイント２０の構成例を概略的に示す。アクセスポイント２０は、例えば、無線ＬＡＮアクセスポイントであり、ＩＥＥＥ８０２．１１諸規格に準拠した無線通信装置である無線通信端末１０と共に無線ＬＡＮを形成する。また、アクセスポイント２０は、航空機システムのサーバー４０と有線ケーブルなどにより接続され、航空機システムの保有する情報（コンテンツ情報、航空機の運行情報、環境情報等）を取得し、無線通信端末１０に送信する。
【００１９】
アクセスポイント２０は、例えば、制御部２１（制御部の一例）、メモリ２２、無線通信部２５（無線通信部の一例）、受信部２６、送信部２７、及びデータベース３０（記憶手段の一例）を備える。
制御部２１はＣＰＵ等から構成され、メモリ２２、無線通信部２５、受信部２６、及び送信部２７を制御する。メモリ２２は、制御部２１が処理する種々のデータを格納する。無線通信部２５は、アンテナＡＴを介して無線通信端末１０に対し情報を送信するとともに、無線通信端末１０からの信号を受信する。受信部２６は、サーバー４０からの情報を受信する。送信部２７は、無線通信端末１０からの情報をサーバー４０に送信する。
【００２０】
制御部２１は、座席特定部２１１、傾き情報取得部２１２、方向情報取得部２１３、通信状況取得部２１４、推奨傾き演算部２１５、推奨方向演算部２１６、推奨傾き取得部２１７、及び推奨方向取得部２１８の各機能を実行する。
座席特定部２１１は、無線通信端末１０から送信される座席情報を取得し、座席を特定する。
【００２１】
傾き情報取得部２１２は、無線通信端末１０より送信される傾き情報を取得し、図４（ａ）に示すように、座席情報に対応させてデータベース３０に格納する。
方向情報取得部２１３は、無線通信端末１０より送信される方向情報を取得する。このとき無線通信端末１０より取得される方向情報は、絶対的方向であるため、方向情報取得部２１３は、航空機システムのサーバー４０より搭乗中の航空機の進行方向情報取得し、当該進行方向を基準とした相対的方向を算出する。方向情報取得部２１３は、算出した相対的方向を方向情報としてし、図４（ａ）に示すように、座席情報に対応させてデータベース３０に格納する。
【００２２】
通信状況取得部２１４は、無線通信端末１０より、傾き情報及び方向情報取得時の通信状況情報（傾き情報及び方向情報に対応する通信状況情報）を取得し、図４（ａ）に示すように、座席情報、傾き情報及び方向情報に対応させてデータベース３０に格納する。
推奨傾き演算部２１５は、データベース３０に蓄積された座席情報、傾き情報及び通信状況情報に基づき、当該座席情報に対する推奨傾きを演算し、図４（ｂ）に示すように、座席情報に対応させてデータベース３０に格納する。推奨傾きの演算は、例えば、蓄積された通信状況情報のうち最も良好な通信状況情報に対応する傾きを選択してもよいし、平均的に通信状況が良好である傾きを選択するようにしてもよい。更に、通信状況が悪くなるような状態が最も少ない傾きを選択するようにしてもよい。
【００２３】
推奨方向演算部２１６は、データベース３０に蓄積された座席情報、方向情報及び通信状況情報に基づき、当該座席情報に対する推奨方向を演算し、図４（ｂ）に示すように、座席情報に対応させてデータベース３０に格納する。推奨方向の演算は、例えば、蓄積された通信状況情報のうち最も良好な通信状況情報に対応する方向を選択してもよいし、平均的に通信状況が良好である方向を選択するようにしてもよい。更に、通信状況が悪くなるような状態が最も少ない方向を選択するようにしてもよい。
推奨傾き取得部２１７は、データベース３０より推奨傾き情報を取得し、無線通信部２５を介して無線通信端末１０に送信する。推奨方向取得部２１８は、データベース３０より推奨方向情報を取得し、無線通信部２５を介して無線通信端末１０に送信する。
【００２４】
［１−２．  無線通信システム１の動作］
図５〜図８を参照しながら、本実施の形態に係る無線通信システム１における無線通信端末１０及びアクセスポイント２０の動作について説明する。
【００２５】
［１−２−１．無線通信端末１０の動作］
図５は、本実施の形態に係る無線通信端末１０の全体動作のフローを示す。
ステップＳ１０１：無線通信端末１０は、所定のアクセスポイント２０との接続を行う。
この接続は、例えば公知の無線ＬＡＮ（例えば、ＷｉＦｉ）による方式に沿って実行される。例えば、無線通信が可能な状態になった航空機内においてサーバー４０によるサービスが開始されると、各アクセスポイント２０からビーコンの発信が開始される。このビーコンを無線通信端末１０が受信することにより、共有した所定のＩＤ（例えば、ＳＳＩＤ）に基づき所定のアクセスポイント２０（以下、接続アクセスポイント２０とする）と無線通信端末１０間で、接続処理を行う。
【００２６】
このとき、無線通信端末１０のユーザは必要に応じて所定のプログラムのダウンロードを実行する。この所定のプログラムは、無線通信端末１０の傾き情報・方向情報を接続アクセスポイント２０に送信するとともに、接続アクセスポイント２０から推奨傾き及び推奨方向を示す情報を受信して表示可能にするためのプログラムである。
ここでのプログラムのダウンロードは必須ではなく、予め専用の接続ツールとして無線通信端末１０にインストールされていてもよい。
【００２７】
なお、このプログラムのダウンロードは、有線ケーブルでサーバー２０と接続された他の通信端末（座席に設けられた表示装置等）に無線通信端末１０を接続して行ってもよい。
ステップＳ１０２：接続アクセスポイント２０との接続が確立した場合は、ステップＳ１０３及びステップＳ１０４にそれぞれ進む。
【００２８】
ステップＳ１０３：無線通信端末１０は後述する傾き／方向情報送信処理を行う。
ステップＳ１０４：無線通信端末１０は後述する推奨傾き／推奨方向情報受信処理を行う。
ステップＳ１０５：無線通信端末１０は、所定の動作に応じて接続アクセスポイント２０との接続を終了する。
【００２９】
［１−２−１−１．傾き／方向情報送信処理］
図６（ａ）は、無線通信端末１０による傾き／方向情報送信処理（図５のステップＳ１０３）の内容を示す。
ステップＳ１０３１：無線通信端末１０の座席情報取得部１１１は、ユーザの座席情報を取得する。この座席情報は、ユーザが入力部１４を介して入力してもよいし、座席に取り付けられた他の通信端末（座席に設けられた表示装置等）に接続して行ってもよいし、或いは座席に取り付けられた無線タグや赤外線通信機能を介して入力してもよい。
ステップＳ１０３２：傾き検出部１１２は、傾きセンサ１８より検知された信号をデータ化して無線通信端末１０の傾きを検出する。
【００３０】
また、方向検出部１１３は、方向センサ１９より検知された信号をデータ化して無線通信端末１０の方向を検出する。方向検出部１１３は、傾きセンサ１８により検知された信号に応じた絶対的方向（東西南北を基準とする）を取得する。
ステップＳ１０３３：通信状況取得部１１４は、ステップＳ１０３２において取得した傾き情報及び方向情報取得時の、接続アクセスポイント２０との通信状況を取得する。通信状況とは、例えば、電波強度情報やエラー情報（ＢＥＲ等）、ＭＩＭＯアンテナ場合のマトリクス情報等である。
【００３１】
ステップＳ１０３４：制御部１１は、取得した座席情報と共に、傾き情報、方向情報及び通信状況情報を、無線通信部１５を介して接続アクセスポイント２０に送信する。
ステップＳ１０３５：無線通信端末１０の傾き及び方向のうち少なくとも一方において所定以上の変化があった場合、ステップＳ１０３２に戻り、傾き検出部１１２又は方向検出部１１３により変化した傾き又は方向を検出する。
ステップＳ１０３６：制御部１１は接続アクセスポイント接続が終了した場合は処理を終了する。
【００３２】
［１−２−１−２．推奨傾き／推奨方向情報受信処理］
図６（ｂ）は、無線通信端末１０による推奨傾き／推奨方向情報受信処理（図５のステップＳ１０４）の内容を示す。
【００３３】
ステップＳ１０４１：無線通信端末１０は、無線通信部１５を介して接続アクセスポイント２０より推奨傾き及び推奨方向を示す情報を受信する。推奨方向は、後述するように、アクセスポイント２０において算出された相対的方向（航空機の進行方向に対する方向）を受信する。
ステップＳ１０４２：推奨傾き通知部１１５は、受信した推奨傾きを示す情報に基づき、推奨傾き情報を生成し、表示部１３に表示させる。推奨方向通知部１１６は、受信した推奨方向を示す情報に基づき、推奨方向情報を生成し、表示部１３に表示させる。
ステップＳ１０４３：表示部１３において、推奨傾き情報及び推奨方向情報を表示させる。この情報は、文字情報であってもよいし、グラフィックスを用いて表示してもよい。
【００３４】
［１−２−２．アクセスポイント２０の動作］
図７は、本実施の形態に係るアクセスポイント２０の動作のフローを示す。
ステップＳ２０１：アクセスポイント２０は無線通信端末１０からの接続要求に応じて接続を行う（ステップＳ１０１に対応）。
【００３５】
ステップＳ２０２：無線通信端末１０との接続が確立した場合は、ステップＳ２０３及びステップＳ２０４にそれぞれ進む。
ステップＳ２０３：アクセスポイント２０は、後述する推奨傾き／推奨方向演算処理を行う。
ステップＳ２０４：アクセスポイント２０は、後述する推奨傾き／推奨方向情報送信処理を行う。
ステップＳ２０５：アクセスポイント２０は、無線通信端末１０からの接続終了要求に応じて接続を終了する。
【００３６】
［１−２−２−１．推奨傾き／推奨方向演算処理］
図８（ａ）は、アクセスポイント２０による推奨傾き／推奨方向演算処理（図７のステップＳ２０３）の内容を示す。
【００３７】
ステップＳ２０３１：座席特定部２１１、傾き情報取得部２１２、方向情報取得部２１３、及び通信状況取得部２１４は、無線通信端末１０よりそれぞれ、座席情報、傾き情報、方向情報及び通信状況を無線通信部２５を介して受信して、データベース３０に格納する。
ステップＳ２０３２：制御部２１は、データベース３０を参照し、受信した座席情報に対する傾き情報、方向情報及び対応する通信状況情報が所定量蓄積されているかどうかを判定する。推奨情報を演算できるに足りる所定量の情報が蓄積されている場合は、推奨傾き及び推奨方向の演算を行うためステップＳ２０３２に進み、蓄積されていない場合は演算を行わない。
【００３８】
ステップＳ２０３３：推奨傾き演算部２１５は、データベース３０に蓄積された座席情報、傾き情報及び通信状況が所定量蓄積された場合、当該座席情報に対する推奨傾きを演算する。推奨傾きの演算は、例えば、蓄積された通信状況情報のうち最も良好な通信状況情報に対応する傾きを選択してもよいし、平均的に通信状況が良好である傾きを選択するようにしてもよいし、或いは通信状況が悪くなるような状態が最も少ない傾きを選択するようにしてもよい。推奨方向演算部２１６は、データベース３０に蓄積された座席情報、方向情報及び通信状況に基づき、当該座席情報に対する推奨方向を演算する。推奨方向の演算は、例えば、蓄積された通信状況情報のうち最も良好な通信状況情報に対応する方向を選択してもよいし、平均的に通信状況が良好である方向を選択するようにしてもよいし、或いは通信状況が悪くなるような状態が最も少ない方向を選択するようにしてもよい。
【００３９】
ステップＳ２０３４：推奨傾き演算部２１５及び推奨方向演算部２１６は、演算した推奨傾き及び推奨方向をそれぞれデータベース３０に格納する。
なお、上記推奨傾き／推奨方向演算処理は、無線通信端末１０との接続中に行う必要はなく、接続していない間に行ってもよい。
【００４０】
［１−２−２−２．推奨傾き／推奨方向情報送信処理］
図８（ｂ）は、アクセスポイント２０による推奨傾き／推奨方向情報送信処理（図７のステップＳ２０４）の内容を示す。
ステップＳ２０４１：アクセスポイント２０の座席特定部２１１は、無線通信端末１０より受信した座席情報を特定する。
ステップＳ２０４２：推奨傾き取得部２１７は、特定した座席情報に対応する推奨傾き情報をデータベース３０より取得する。推奨方向取得部２１８は、特定した座席情報に対応する推奨方向情報をデータベース３０より取得する。
ステップＳ２０４３：推奨傾き取得部２１７及び推奨方向取得部２１８は、取得した推奨傾き情報及び推奨方向情報を接続する無線通信端末１０に無線通信部２５を介して送信する。
【００４１】
［１−３．効果等］
上記実施の形態によれば、無線通信端末１０は傾き情報及び方向情報をアクセスポイント２０に送信する。また、アクセスポイント２０において通信状況に対応させた無線通信端末１０からの傾き情報及び方向情報を保持し、これらの情報から無線通信端末１０が使用される座席に対応する推奨傾き及び推奨方向を演算し、無線通信端末１０に送信する。推奨傾き及び推奨方向を示す情報は、無線通信端末１０において表示される。これにより、ユーザは、座席において使用する無線通信端末１０の傾きや方向を表示される推奨傾きや推奨方向に合わせることによって、無線通信端末１０とアクセスポイント２０との間で最適な通信状態を確保できる。
更に、無線通信端末１０の方向としては、アクセスポイント２０により飛行機の進行方向に対する相対的方向を算出し、推奨方向を取得する。よって、ユーザは、飛行機の進行方向に関わらず無線通信端末１０の最適な方向を知ることができる。
【００４２】
（他の実施の形態）
以上、図面を用いて本発明の実施形態を説明したが、本発明の具体的な構成は、前述の実施形態に限られるものではなく、発明の要旨を逸脱しない範囲で種々の変更及び修正が可能である。例えば、次のような変更が可能である。
【００４３】
（１）
無線通信端末１０は、傾き情報及び方向情報のいずれか一方のみをアクセスポイント２０に送信するようにしてもよい。また、アクセスポイント２０は、推奨傾き情報及び推奨方向情報のいずれか一方のみを演算し、無線通信端末１０に送信するようにしてもよい。
（２）
上記実施の形態においては、無線通信端末１０は取得した自身の傾き情報と方向情報とに対応する通信状況情報を接続アクセスポイント２０に送信しているが、これに限定されない。アクセスポイント２０は、制御部２１により接続中の無線通信端末１０との通信状況（電波強度やＢＥＲ）を測定し、通信状況情報として取得してもよい。
【００４４】
（３）
上記実施の形態において、無線通信端末１０は絶対的方向を接続アクセスポイント２０に送信し、接続アクセスポイント２０において飛行機の進行方向に対する相対的方向を算出しているが、これに限定されない。無線通信端末１０が接続アクセスポイント２０より飛行機の進行方向情報を取得し、当該情報及び自身が取得する絶対的方向に基づいて相対的方向を算出し、方向情報としてアクセスポイント２０に送信するようにしてもよい。
【００４５】
（４）
アクセスポイント２０による座席情報の取得は、無線通信端末１０から受信する以外に次の方法がある。例えば、無線通信端末１０のＩＤ情報や顧客情報（端末位置情報の一例）をアクセスポイント２０に送信する。アクセスポイント２０は、受信した端末ＩＤ情報や顧客情報と、航空機システムから取得可能な予約情報や搭乗情報等から取得できる端末ＩＤ情報や顧客情報とを照合することにより、座席情報を取得するようにしてもよい。
【００４６】
（５）
上記実施の形態において、一座席に対する接続アクセスポイント２０は一つに限定されない。航空機内にアクセスポイント２０が複数設置されている場合であって、アクセスポイント２０の運転状態（故障等）や通信状態において他のアクセスポイント２０に接続するときは、無線通信端末１０は当該他のアクセスポイント２０との間で上記実施の形態と同様の処理を行う。
【００４７】
（６）
上記実施の形態において、無線通信端末１０は、アクセスポイント２０と接続している間は、傾きや方向に所定以上の変更があった場合は、新たに傾き情報や方向情報を送信しているが（図６（ａ）のステップＳ１０３５）、この処理を行わず、接続毎に１回の傾き情報及び方向情報の送信を行うようにしてもよい。
【００４８】
（７）
無線通信端末１０において推奨傾き情報及び推奨方向情報の通知は、無線通信端末１０の音声機能を用いて行ってもよい。
（８）
データベース３０は、アクセスポイント２０とは別に設けられた装置（サーバー等）に設けられ、アクセスポイント２０に接続可能な形態してもよい。
【００４９】
（９）
上記実施の形態は、航空機に適用されることを例にしているが、アクセスポイントと無線通信端末の位置が固定されている所定の空間であればよく、例えば、新幹線等の列車や会議室、ホール等においても適用できる。
【産業上の利用可能性】
【００５０】
本開示は、所定の空間において利用される無線通信端末、無線アクセス装置、無線通信システム及び無線通信プログラムとして適用可能である。
【符号の説明】
【００５１】
１      無線通信システム（無線通信システムの一例）
１０    無線通信端末（無線通信端末の一例）
１１    制御部（制御部の一例）
１２    メモリ
１３    表示部（表示部の一例）
１４    入力部
１５    無線通信部（無線通信部の一例）
１８    傾きセンサ
１９    方向センサ
２０    アクセスポイント（無線アクセス装置の一例）
２１    制御部（制御部の一例）
２２    メモリ
２５    無線通信部（無線通信部の一例）
２６    受信部
２７    送信部
３０    データベース（記憶手段の一例）
４０    サーバー
【図１】
2014179765.tif 000003
【図２】
2014179765.tif 000004
【図３】
2014179765.tif 000005
【図４】
2014179765.tif 000006
【図５】
2014179765.tif 000007
【図６】
2014179765.tif 000008
【図７】
2014179765.tif 000009
【図８】
2014179765.tif 000010